(57)【特許請求の範囲】
【請求項１】
テレビ番組を特定する番組識別情報に、該テレビ番組の広告または広告提供企業に関連するウェブサイトのアドレスを対応付けた対応テーブルを記憶する記憶装置と、
インターネットに接続可能なユーザ端末により、任意のテレビ番組を特定する前記番組識別情報とともに、該番組識別情報に付加される前記広告または前記広告提供企業を識別する広告識別パラメータの入力を受け付ける受付手段と、
前記受付手段が受け付けた前記番組識別情報および前記広告識別パラメータに基づいて、前記記憶装置に記憶された前記対応テーブルを参照して、前記テレビ番組の前記広告または前記広告提供企業の前記ウェブサイトの前記アドレスを取得するアドレス取得手段と、
前記アドレス取得手段が取得した前記アドレスに従って、前記インターネット上のウェブサイトにアクセスし、前記ユーザ端末に該ウェブサイトを表示させて情報を提供する提供手段と、を備える広告情報提供システム。
【請求項２】
請求項１に記載の広告情報提供システムにおいて、
前記テレビ番組の前記広告または前記広告提供企業を特定する特定手段と、
前記特定手段により特定された前記テレビ番組の前記広告または前記広告提供企業に関連する前記ウェブサイトのアドレスを前記インターネットを介して検索して取得する取得手段と、
前記取得手段が取得した前記アドレスを前記テレビ番組の前記番組識別情報に関連づけて前記対応テーブルを自動的に作成し、前記記憶装置に記憶する手段をさらに備える広告情報提供システム。
【請求項３】
請求項１または２に記載の広告情報提供システムにおいて、
前記広告識別パラメータは、文字、数字、記号、または、これらの組み合わせからなり、少なくとも一桁で示すことができる広告情報提供システム。
【請求項４】
請求項１乃至３いずれかに記載の広告情報提供システムにおいて、
前記受付手段が所定の前記広告識別パラメータの入力を受け付けたとき、前記記憶装置に記憶された前記対応テーブルを参照して、前記受付手段が受け付けた前記番組識別情報の前記テレビ番組の前記広告または前記広告提供企業の一覧を取得する一覧取得手段と、
前記一覧取得手段が取得した前記一覧を前記ユーザ端末に提供する手段と、
前記ユーザ端末において、前記一覧に提示された前記広告または前記広告提供企業の中から所望の広告または広告提供企業の選択を受け付ける手段と、を備え、
前記アドレス取得手段は、前記記憶装置に記憶された前記対応テーブルを参照して、前記選択を受け付ける手段が受け付けた前記所望の広告または前記広告提供企業に関連する前記ウェブサイトの前記アドレスを取得し、前記提供手段が、前記アドレス取得手段が取得した前記アドレスに従って、前記インターネット上のウェブサイトにアクセスし、前記ユーザ端末に該ウェブサイトを表示させて情報を提供する広告情報提供システム。
【請求項５】
請求項１乃至４いずれかに記載の広告情報提供システムにおいて、
前記広告識別パラメータは、一のテレビ番組で放送された広告または該広告の広告提供企業の順番に、アルファベット順英文字、昇順数字、五十音順あるいは、いろは順のひらがなまたはカタカナを割り当てて付与される広告情報提供システム。
【請求項６】
テレビ番組を特定する番組識別情報に、該テレビ番組の広告または広告提供企業に関連するウェブサイトのアドレスを対応付けた対応テーブルを記憶する記憶装置を備えた管理装置にインターネットを介して接続可能な広告情報受信端末であって、
任意のテレビ番組を特定する番組識別情報とともに、該番組識別情報に付加される前記広告または前記広告提供企業を識別する広告識別パラメータの入力を受け付ける受付手段と、
前記受付手段が受け付けた前記番組識別情報および前記広告識別パラメータに基づいて、前記管理装置に前記テレビ番組の前記広告または前記広告提供企業の前記ウェブサイトの前記アドレスを特定させるために前記番組識別情報および前記広告識別パラメータを前記管理装置に送信する手段と、
前記管理装置から前記アドレスを取得し、該アドレスに従って前記インターネットにアクセスし、前記ウェブサイトを表示する表示手段と、を備える広告情報受信端末。
【請求項７】
表示部を備え、テレビ番組を特定する番組識別情報に、該テレビ番組の広告または広告提供企業に関連するウェブサイトのアドレスを対応付けた対応テーブルを記憶する記憶装置を備えた管理装置にインターネットを介して接続可能なコンピュータに、
任意のテレビ番組を特定する番組識別情報とともに、該番組識別情報に付加される広告または広告提供企業を識別する広告識別パラメータの入力を受け付ける手順、
前記受け付ける手順で受け付けた前記番組識別情報および前記広告識別パラメータに基づいて、前記管理装置に前記テレビ番組の前記広告または前記広告提供企業の前記ウェブサイトの前記アドレスを特定させる手順、
前記特定させる手順で特定した前記アドレスを取得し、該アドレスに従って前記インターネットにアクセスし、前記ウェブサイトを前記表示部に表示する手順、を実行させるためのプログラム。
【発明の詳細な説明】
【技術分野】
【０００１】
本発明は、広告情報提供システムおよび広告情報受信端末に関し、特に、インターネット経由でユーザ端末にテレビ番組の広告情報を提供する番組広告情報提供システムおよび広告情報を受信する広告情報受信端末に関する。
【背景技術】
【０００２】
従来の情報提供システムとしては、例えば特許文献１に記載されたものがある。同文献に記載された情報提供システムは、携帯電話でＧコードと、付加コードを入力して管理装置に送信すると、管理装置にて、予め放送局やスポンサー企業、広告会社などからＧコードとその番組関連情報（広告を含む）を取得してデータベースに蓄積されていた情報を検索し、ユーザの携帯電話に提供するものである。
【特許文献１】特開２００２−３５４４４５号公報
【発明の開示】
【発明が解決しようとする課題】
【０００３】
しかしながら、上記文献記載の従来技術は、以下の点で改善の余地を有していた。
従来の情報提供システムでは、放送局や番組スポンサー企業、または広告会社などに情報提供者用端末装置を設ける必要があった。さらに、情報提供者用端末装置は、番組関連情報を受け付ける手段と、番組関連情報を管理装置に送信する手段と、を備え、管理装置は、情報提供者用端末装置から送信された番組関連情報を受信する手段と、受信した番組関連情報をデータベースに蓄積する手段と、を備える必要があった。すなわち、従来の情報提供システムでは、情報提供者が番組関連情報を準備し、管理装置に提供するとともに、管理装置では、提供された番組関連情報をデータベースに蓄積して管理する必要あった。
【０００４】
また、従来、上記のようなシステムを使用せずに、ユーザがテレビ番組で放送された広告ないし、その広告提供企業に対応したウェブサイトにアクセスしようとした場合、まず、当該広告またはその広告提供企業を検索し、その検索結果から所望のウェブサイトを自ら特定し、特定したＵＲＬ（Uniform Resource Locator）にアクセスすることによって、所望のウェブサイトを表示しなければならず、場合によっては思ったような検索結果が得られず、そのために所望のウェブサイトにアクセスできずに終わってしまうことがあった。
【０００５】
本発明は上記事情に鑑みてなされたものであり、その目的とするところは、簡素な構成で、テレビ局や企業などから情報の提供を受けずに、テレビ番組の広告および広告提供企業に関する情報をユーザ端末に提供可能な広告情報提供システムおよび容易に所望の情報を入手できる操作性のよい広告情報受信端末を提供することにある。
【課題を解決するための手段】
【０００６】
本発明の広告情報提供システムは、テレビ番組を特定する番組識別情報に、該テレビ番組の広告または広告提供企業に関連するウェブサイトのアドレスを対応付けた対応テーブルを記憶する記憶装置と、
インターネットに接続可能なユーザ端末により、任意のテレビ番組を特定する前記番組識別情報とともに、該番組識別情報に付加される前記広告または前記広告提供企業を識別する広告識別パラメータの入力を受け付ける受付手段と、
前記受付手段が受け付けた前記番組識別情報および前記広告識別パラメータに基づいて、前記記憶装置に記憶された前記対応テーブルを参照して、前記テレビ番組の前記広告または前記広告提供企業の前記ウェブサイトの前記アドレスを取得するアドレス取得手段と、
前記アドレス取得手段が取得した前記アドレスに従って、前記インターネット上のウェブサイトにアクセスし、前記ユーザ端末に該ウェブサイトを表示させて情報を提供する提供手段と、を備える。
【０００７】
また、本発明の広告情報受信端末は、テレビ番組を特定する番組識別情報に、該テレビ番組の広告または広告提供企業に関連するウェブサイトのアドレスを対応付けた対応テーブルを記憶する記憶装置を備えた管理装置にインターネットを介して接続可能な広告情報受信端末であって、
任意のテレビ番組を特定する番組識別情報とともに、該番組識別情報に付加される広告または広告提供企業を識別する広告識別パラメータの入力を受け付ける受付手段と、
前記受付手段が受け付けた前記番組識別情報および前記広告識別パラメータに基づいて、前記管理装置に前記テレビ番組の前記広告または前記広告提供企業の前記ウェブサイトの前記アドレスを特定させるために前記番組識別情報および前記広告識別パラメータを前記管理装置に送信する手段と、
前記管理装置から前記アドレスを取得し、該アドレスに従って前記インターネットにアクセスし、前記ウェブサイトを表示する表示手段と、を備える。
【０００８】
また、本発明のプログラムは、表示部を備え、テレビ番組を特定する番組識別情報に、該テレビ番組の広告または広告提供企業に関連するウェブサイトのアドレスを対応付けた対応テーブルを記憶する記憶装置を備えた管理装置にインターネットを介して接続可能なコンピュータに、
任意のテレビ番組を特定する番組識別情報とともに、該番組識別情報に付加される広告または広告提供企業を識別する広告識別パラメータの入力を受け付ける手順、
前記受け付ける手順で受け付けた前記番組識別情報および前記広告識別パラメータに基づいて、前記管理装置に前記テレビ番組の前記広告または前記広告提供企業の前記ウェブサイトの前記アドレスを特定させる手順、
前記特定させる手順で特定した前記アドレスを取得し、該アドレスに従って前記インターネットにアクセスし、前記ウェブサイトを前記表示部に表示する手順、を実行させるためのものである。
【０００９】
なお、以上の構成要素の任意の組合せ、本発明の表現を方法、装置、システム、記録媒体、コンピュータプログラムなどの間で変換したものもまた、本発明の態様として有効である。
【００１０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１１】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障しない範囲で変更することができる。
【００１２】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１３】
本発明によれば、簡素な構成で、テレビ局や企業などから情報の提供を受けずに、テレビ番組の広告および広告提供企業に関する情報をユーザ端末に提供可能な広告情報提供システムおよび操作性のよい広告情報受信端末が提供される。
【発明を実施するための最良の形態】
【００１４】
以下、本発明の実施の形態について、図面を用いて説明する。尚、すべての図面において、同様な構成要素には同様の符号を付し、適宜説明を省略する。
【００１５】
図１は、本発明の実施の形態に係る広告情報提供システム１の構成を示すブロック図である。
本実施形態の広告情報提供システム１によれば、ユーザ７がテレビ受像機（ＴＶ）９でテレビ番組を視聴した時、あるテレビ番組で放映されたコマーシャルなどの広告またはその広告提供企業に関連する情報を、ユーザ端末、たとえば、携帯電話機１００ａやパーソナルコンピュータ（ＰＣ：Personal Computer）１００ｂで簡単な操作で取得して閲覧することができる。
【００１６】
本実施形態において、ユーザ端末は、携帯電話機１００ａを例として説明するが、これに限定されない。以後、ユーザ端末１００として説明する。ユーザ端末１００は、携帯電話機やＰＣの他に、ＰＤＡ（Personal Digital Assistants）、ＰＨＳ（Personal Handyphone System）、インターネットに接続可能なテレビ受像機、ゲーム機などであってもよい。
【００１７】
本実施形態の広告情報提供システム１は、ユーザ７のユーザ端末１００と、管理装置２００と、を備え、ユーザ端末１００と管理装置２００はインターネット３に接続され、インターネット３上の広告または広告提供企業に関連するウェブサイト５にアクセスすることができる。広告提供企業は、たとえば、放送局、番組スポンサー企業、または広告会社などを含むことができる。
【００１８】
図２は、図１の広告情報提供システム１のユーザ端末１００および管理装置２００の構成を示す機能ブロック図である。
【００１９】
本実施形態の広告情報提供システム１は、テレビ番組を特定する番組識別情報に、該テレビ番組の広告または広告提供企業に関連するウェブサイト５のアドレスを対応付けた対応テーブルを記憶する記憶装置（対応テーブル記憶部２１０）と、インターネット３に接続可能なユーザ端末１００により、任意のテレビ番組を特定する番組識別情報とともに、該番組識別情報に付加される広告または広告提供企業を識別する広告識別パラメータの入力を受け付ける受付部１１２と、受付部１１２が受け付けた番組識別情報および広告識別パラメータに基づいて、記憶装置（対応テーブル記憶部２１０）に記憶された対応テーブルを参照して、テレビ番組の広告または広告提供企業のウェブサイト５のアドレスを取得するＵＲＬアドレス取得部２２２と、ＵＲＬアドレス取得部２２２が取得したアドレスに従って、インターネット３上のウェブサイト５にアクセスし、ユーザ端末１００に該ウェブサイト５のウェブページを表示させて情報を提供する提供部（提示部１２０）と、を備える。
【００２０】
なお、以下の各図において、本発明の本質に関わらない部分の構成については省略してあり、たとえば、ユーザ端末１００および管理装置２００のＣＰＵ、メモリ、操作部、表示部などは図示されていない。
【００２１】
本発明の実施の形態に係るユーザ端末１００は、テレビ番組を特定する番組識別情報に、該テレビ番組の広告または広告提供企業に関連するウェブサイトのアドレスを対応付けた対応テーブルを記憶する記憶装置（対応テーブル記憶部２１０）を備えた管理装置２００にインターネット３を介して接続可能な広告情報受信端末（ユーザ端末１００）であって、任意のテレビ番組を特定する番組識別情報とともに、該番組識別情報に付加される広告または広告提供企業を識別する広告識別パラメータの入力を受け付ける受付部１１２と、受付部１１２が受け付けた番組識別情報および広告識別パラメータに基づいて、管理装置２００にテレビ番組の広告または広告提供企業のウェブサイトのアドレスを特定させるために番組識別情報および広告識別パラメータを管理装置２００に送信する送信部１１４と、管理装置２００からアドレスを取得し、該アドレスに従ってインターネット３にアクセスし、ウェブサイトを表示する表示部（受信部１１６、ウェブアクセス部１１８および提示部１２０）と、を備える。
【００２２】
また、広告情報提供システム１のユーザ端末１００および管理装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００２３】
ユーザ端末１００は、インターネット３に接続するインタフェース部（Ｉ／Ｆ）１０２と、本実施形態の広告情報提供システム１専用のツールバーを含むウェブブラウザ１１０と、を含む。ウェブブラウザ１１０は、受付部１１２と、送信部１１４と、受信部１１６と、ウェブアクセス部１１８と、提示部１２０と、を含む。
【００２４】
インタフェース部１０２は、ユーザ端末１００が携帯電話機の場合、図示されない基地局と無線通信を行い、インターネット３に接続する。ユーザ端末１００がＰＣなどの場合、無線または有線通信のいずれでもよい。
【００２５】
本実施形態の広告情報提供システム１において、ユーザ端末１００に、たとえば、専用のツールバーを予めインストールしておく。そして、ユーザ端末１００において、ウェブブラウザ１１０を立ち上げると自動的にウェブブラウザ１１０内にツールバーが表示される。
【００２６】
受付部１１２は、任意のテレビ番組を特定する番組識別情報、たとえば、Ｇコードとともに、該番組識別情報に付加して、広告または広告提供企業を識別する広告識別パラメータの入力を受け付ける。
【００２７】
ここで、広告識別パラメータは、文字、数字、記号、または、これらの組み合わせからなり、少なくとも一桁で示すことができる。さらに、広告識別パラメータは、一のテレビ番組で放送された広告または該広告の広告提供企業の順番に、アルファベット順英文字、昇順数字、五十音順あるいは、いろは順のひらがなまたはカタカナを割り当てて付与されてもよい。すなわち、たとえば、あるテレビ番組で１番最初に放送された広告の情報を閲覧した場合に、数字の「１」や、アルファベットの「ａ」、ひらがなの「あ」などを、Ｇコードに続けて入力するだけで、所望の広告または広告提供企業に関連するＵＲＬアドレスを取得し、インターネット上でウェブサイトを閲覧することができる。
【００２８】
たとえば、あるテレビ番組で放送された広告の順番で、「１」、「２」、「３」、．．．といった数字をパラメータとすることができる。あるいは、あるテレビ番組で放送された広告の広告提供企業の情報を取得した場合は、放送された広告の順番で、「ａ」、「ｂ」、「ｃ」、．．．といったアルファベットをパラメータとしてもよい。そして、さらに、各広告提供企業において、放送された広告の順番で、「ａ１」、「ａ２」、「ａ３」、．．．、あるいは、「ｂ１」、「ｂ２」、．．．といあったアルファベットと数字を組み合わせたパラメータとしてもよい。
【００２９】
図４（ａ）に示すように、ウェブブラウザ１１０を起動すると、ブラウザ画面３００がユーザ端末１００の表示部（不図示）に表示される。ブラウザ画面３００の上部には、ツールバー３１０が表示されている。ブラウザ画面３００内でのツールバー３１０の配置は、とくに限定されるものではなく、ユーザ端末１００がＰＣの場合であれば、ブラウザウィンドウとは別のフローティングウィンドウに表示させてもよい。また、ユーザ端末１００が携帯電話機など画面の小さい装置の場合、ツールバー３１０とブラウザ画面３００を別画面としてもよい。
【００３０】
ツールバー３１０は、入力欄３１２と、検索ボタン３１４と、を含む。入力欄３１２には、Ｇコード３１６と、Ｇコード３１６に続けてパラメータ３１８を入力することができる。検索ボタン３１４の操作を受け付けることで、図２の受付部１１２は、ツールバー３１０の入力欄３１２に入力されたＧコード３１６とパラメータ３１８を受け付ける。
【００３１】
このように、本実施形態の広告情報提供システム１において、専用のツールバーは、ウェブブラウザ１１０と連携して動作させることで、ツールバーの入力欄にＧコードとパラメータを入力させて受け付け、関連情報のＵＲＬアドレスの検索要求を管理装置２００に送信し、管理装置２００から返信されたＵＲＬアドレスに従って、ウェブブラウザ１１０に所望の情報を含むウェブサイト５のウェブページを表示させることができる。
【００３２】
本実施形態において、ウェブブラウザ１１０に専用のツールバーを設ける構成としたが、これに限定されず、本システム専用のウェブブラウザをユーザ端末１００にインストールさせ、ブラウザのＵＲＬアドレス入力欄に、番組識別情報（Ｇコード）および広告識別パラメータを入力させて受け付け、関連する情報のウェブサイトをブラウザの表示欄に表示させてもよいし、あるいは、専用のアプリケーションプログラムをインストールして実行させることで、実現することができる。
【００３３】
図２に戻り、送信部１１４は、受付部１１２が受け付けたＧコードと、広告識別パラメータをインタフェース部１０２を介してインターネット３上の管理装置２００に送信する。受信部１１６は、インタフェース部１０２を介してインターネット３上の管理装置２００から検索結果として所望の広告または広告提供企業のウェブサイト５のＵＲＬアドレスを受信する。
【００３４】
ウェブアクセス部１１８は、受信部１１６が受信したＵＲＬアドレスに従って、インターネット３にアクセスし、所望の広告または広告提供企業のウェブサイト５を取得する。提示部１２０は、ウェブアクセス部１１８が取得したウェブサイト５をユーザ端末１００に提示する。たとえば、図４（ａ）のブラウザ画面３００の広告関連ウェブページ表示欄３２０にウェブサイト５のウェブページを表示させる。ここでは、広告ａに関連するウェブページが表示されている例を示している。
【００３５】
図２に戻り、管理装置２００は、インタフェース部２０２と、対応テーブル記憶部２１０と、受信部２２０と、ＵＲＬアドレス取得部２２２と、送信部２２４と、を備える。
【００３６】
インタフェース部２０２は、インターネット３に接続する。インタフェース部２０２は、無線または有線通信のいずれでもよい。対応テーブル記憶部２１０は、テレビ番組を特定する番組識別情報に、該テレビ番組の広告または広告提供企業に関連するウェブサイトのアドレスを対応付けた対応テーブルを記憶する。
【００３７】
図３は、本実施形態の広告情報提供システム１における対応テーブルの構造の例を示す図である。図３（ａ）の例では、対応テーブル２１２は、たとえば、テレビ番組のＧコードごとに、テレビ番組で放送された順に複数の広告、ここでは、広告１、広告２、広告３、．．．に関連するウェブサイト５のＵＲＬアドレスを対応付けて記憶する。図３（ｂ）の例では、対応テーブル２１４は、テレビ番組のＧコードごとに、テレビ番組で放送された複数の広告の順に、対応する複数の広告提供企業、ここでは企業ａ、企業ｂ、企業ｃ、．．．のウェブサイト５のＵＲＬアドレスを対応付けて記憶する。
【００３８】
さらに、図３（ｃ）の例では、対応テーブル２１６は、テレビ番組のＧコードごとに、テレビ番組で放送された複数の広告の順に、対応する複数の広告提供企業、ここでは企業ａ、企業ｂ、・・・のウェブサイト５のＵＲＬアドレスを対応付け、さらに企業ごとに、テレビ番組で放送された順に複数の広告、ここでは、企業ａの広告ａ１、広告ａ２、広告ａ３、．．．、あるいは、企業ｂの広告ｂ１、広告ｂ２、．．．のウェブサイト５のＵＲＬアドレスを対応付けて記憶する。
【００３９】
図２に戻り、受信部２２０は、インタフェース部２０２を介してユーザ端末１００からＧコードと広告識別パラメータを受信する。ＵＲＬアドレス取得部２２２は、受信部２２０が受信したＧコードと広告識別パラメータに基づいて、対応テーブル記憶部２１０に記憶された対応テーブルを参照して、テレビ番組の広告または広告提供企業のウェブサイト５のＵＲＬアドレスを取得する。なお、本実施形態では、ウェブサイト５のＵＲＬアドレスを取得する構成としているが、これに限定されない。たとえば、ウェブサイトのサーバのＩＰアドレスなどであってもよい。送信部２２４は、ＵＲＬアドレス取得部２２２が取得したＵＲＬアドレスをインタフェース部２０２を介してインターネット３上のユーザ端末１００に送信する。
【００４０】
このように構成された本実施形態の広告情報提供システム１の動作について、以下に説明する。図５は、本実施形態の広告情報提供システム１の動作の一例を示すフローチャートである。以下、図１乃至図５を用いて説明する。
【００４１】
なお、本実施の形態のユーザ端末１００は、前述のように実装されているコンピュータプログラムに対応して各種の処理動作を実行することにより、前述のような各手段（ユニット）１０２〜１２０、あるいは、各手段（ユニット）２０２〜２２４が各種機能として実現されている。
【００４２】
本実施形態のコンピュータプログラムは、表示部（不図示）を備え、テレビ番組を特定する番組識別情報に、該テレビ番組の広告または広告提供企業に関連するウェブサイト５のアドレスを対応付けた対応テーブルを記憶する記憶装置（対応テーブル記憶部２１０）を備えた管理装置２００にインターネット３を介して接続可能なコンピュータ（ユーザ端末１００）に、任意のテレビ番組を特定する番組識別情報とともに、該番組識別情報に付加される広告または広告提供企業を識別する広告識別パラメータの入力を受け付ける手順（Ｓ１５）、受け付ける手順（Ｓ１５）で受け付けた番組識別情報および広告識別パラメータに基づいて、管理装置２００にテレビ番組の広告または広告提供企業のウェブサイト５のアドレスを特定させる手順（Ｓ３５、Ｓ３７）、特定させる手順で特定したアドレスを取得し（Ｓ１９）、該アドレスに従ってインターネット３にアクセスし、ウェブサイト５を表示部に表示する手順（Ｓ２１）、を実行させるように記述されている。
【００４３】
具体的には、はじめに、ユーザ端末１００において、広告情報提供システム１専用のツールバーをインストールする（Ｓ１１）。一度、このツールバーをインストールすれば、以後、このステップは省略することができる。そして、ユーザ端末１００において、ウェブブラウザ１１０を起動する（Ｓ１３）。ユーザ端末１００の表示部には、図４（ａ）のブラウザ画面３００が表示されることとなる。なお、図５では、説明省略のために、ステップＳ２１の後、フローを終了しているが、ブラウザ画面３００を開いている間、以下のステップＳ１５〜Ｓ２１は繰り返し実行することができるものとする。
【００４４】
ユーザ端末１００において、ブラウザ画面３００のツールバー３１０の入力欄３１２にユーザ７が操作部（不図示）を用いて、テレビ番組のＧコード３１６とパラメータ３１８を入力し、受付部１１２が受け付ける（Ｓ１５）。
【００４５】
たとえば、ユーザは、テレビ番組で１番目に放送されたコマーシャルの企業に関する情報を閲覧するために、図４（ａ）に示すように、入力欄３１２に、Ｇコード３１６として、「３３００」を入力し、パラメータ３１８として、「ａ」を入力している。受付部１１２がＧコードとパラメータを受け付け、送信部１１４がＧコードとパラメータをインタフェース部１０２を介して管理装置２００に送信する（Ｓ１７）。
【００４６】
一方、管理装置２００では、対応テーブル記憶部２１０に対応テーブルを記憶して準備する（Ｓ３１）。なお、対応テーブルの作成の詳細については、後述する。そして、ユーザ端末１００から送信されたＧコードおよびパラメータをインタフェース部２０２を介して受信部２２０が受信する（Ｓ３３）。ステップＳ３３で受信したＧコードと広告識別パラメータに基づいて、ＵＲＬアドレス取得部２２２が対応テーブル記憶部２１０にアクセスし、対応テーブルを参照して、対応する広告または広告提供企業を特定し（Ｓ３５）、広告または広告提供企業のウェブサイトのＵＲＬアドレスを取得し、受信部２２０がインタフェース部２０２を介してユーザ端末１００にＵＲＬアドレスを送信する（Ｓ３７）。
【００４７】
ここでは、上述したように、Ｇコードとして「３３００」が、そしてパラメータとして「ａ」が指定されており、管理装置２００において、たとえば、図３（ｂ）の対応テーブル２１４が用いられ、ＵＲＬアドレス取得部２２２は、Ｇコードが「３３００」に対応する、１番目の広告提供企業ａのＵＲＬアドレスを取得する。
【００４８】
そして、ユーザ端末１００では、管理装置２００から送信されたＵＲＬアドレスを受信部１１６が受信する（Ｓ１９）。そして、ウェブアクセス部１１８がステップＳ１９で受信したＵＲＬアドレスのウェブサイト５のウェブページをインターネット３上からダウンロードして、ダウンロードされたウェブページが提示部１２０により、図４（ａ）のブラウザ画面３００の広告関連ウェブページ表示欄３２０に表示される（Ｓ２１）。
【００４９】
このように、ユーザ７は、テレビ受像機９でテレビ番組を視聴していて、気になるコマーシャルを見つけ、関連する情報をネットで調べる場合に、テレビ番組のＧコードと、たとえば、コマーシャルが登場した順番を広告識別パラメータとして入力するだけで、簡単に関連するウェブサイトにアクセスし、ウェブページをユーザ端末１００に表示されて閲覧することができる。
【００５０】
以上、説明したように、本実施形態の広告情報提供システム１によれば、ユーザ７がテレビ番組を視聴したとき、気になるコマーシャルを見た場合などに、ユーザ端末１００上で、その番組を特定するＧコード等にプラスして、簡易なパラメータを付加して入力するだけで、特別な操作をすることなく、番組中に放映されたコマーシャルに関連する情報や、番組のスポンサー企業に関連する情報を提供するウェブサイト５にアクセスでき、各種情報をユーザ端末１００に提供することができる。また、情報提供に際しては、テレビ番組に関連する既存のウェブサイト５のアドレスを、テレビ番組のＧコード等に、対応づけて対応テーブルに記憶させるだけの簡単な構成で実現することができる。すなわち、テレビ番組の制作テレビ局やスポンサー企業などから予め情報提供を受けてシステムに蓄積する必要がない。
【００５１】
さらに、本実施形態の広告情報提供システム１において、管理装置２００は、図６に示す構成をさらに備えることができ、放送されたテレビ番組と、そのとき放送されたコマーシャルを自動的に識別し、上記対応テーブルを自動的に作成し、対応テーブル記憶部２１０に記憶することができる。
【００５２】
本実施形態の広告情報提供システム１において、テレビ番組の広告または広告提供企業を特定する特定部（広告識別部４０６）と、特定部（広告識別部４０６）により特定されたテレビ番組の広告または広告提供企業に関連するウェブサイト５のアドレスをインターネット３を介して検索して取得する取得部（キーワード抽出部４０８、ウェブ検索部４１０、登録用アドレス取得部４１２）と、取得部が取得したアドレスをテレビ番組の番組識別情報に関連づけて対応テーブルを自動的に作成し、記憶装置（対応テーブル記憶部２１０）に記憶する登録部４１４をさらに備えることができる。
【００５３】
すなわち、管理装置２００は、図２の構成に加え、テレビ放送信号受信部４０２と、番組識別情報抽出部４０４と、広告識別部４０６と、キーワード抽出部４０８と、ウェブ検索部４１０と、登録用アドレス取得部４１２と、登録部４１４と、をさらに備える。
【００５４】
テレビ放送信号受信部４０２は、たとえば、地上波デジタル放送やデジタル衛星放送、ケーブルテレビ放送などのテレビ放送信号およびデータ放送信号を図示されないアンテナを介して受信する。番組識別情報抽出部４０４は、テレビ放送信号受信部４０２が受信したテレビ放送信号またはデータ放送信号から、受信中のテレビ番組の番組識別情報を抽出する。テレビ番組の番組識別情報の抽出手法については、公知の手法を用いることができ、特に本発明の本質に関わらないので説明は省略する。
【００５５】
広告識別部４０６は、テレビ放送信号受信部４０２が受信したテレビ放送信号またはデータ放送信号から、受信中のテレビ番組で放送されているコマーシャルを放送順に識別する。テレビ番組のコマーシャルの識別手法についても、公知の手法を用いることができ、特に本発明の本質に関わらないので説明は省略する。キーワード抽出部４０８は、広告識別部４０６が識別したコマーシャルのテレビ放送信号またはデータ放送信号から、広告または広告提供企業を特定可能なキーワードを抽出する。キーワードは、たとえば、商品名や企業名やあるいは、それらを識別するコードであってもよい。
【００５６】
ウェブ検索部４１０は、キーワード抽出部４０８が抽出したキーワードに基づいて、インターネット３にアクセスし、広告または広告提供企業に関連するウェブサイト５、またはウェブページを検索する。登録用アドレス取得部４１２は、ウェブ検索部４１０が検索したウェブサイト５またはウェブページのＵＲＬアドレスを取得する。
【００５７】
登録部４１４は、番組識別情報抽出部４０４が抽出したテレビ番組の番組識別情報ごとに、さらに広告識別部４０６が識別した広告ごとに、順に、登録用アドレス取得部４１２が取得したウェブサイト５またはウェブページのＵＲＬアドレスを関連づけて対応テーブル記憶部２１０の対応テーブルに登録する。
【００５８】
このように構成された本実施形態の広告情報提供システム１の動作について、以下に説明する。図７は、本実施形態の広告情報提供システム１の管理装置２００の対応テーブル作成時の動作の一例を示すフローチャートである。以下、図６および図７を用いて説明する。なお、ステップＳ５１〜Ｓ６３は、テレビ放送中、繰り返し実行することができる。
【００５９】
はじめに、テレビ放送信号受信部４０２が、テレビ放送信号を受信する（Ｓ５１）。そして、番組識別情報抽出部４０４が、ステップＳ５１で受信したテレビ放送信号から放送中のテレビ番組の番組識別情報を抽出する（Ｓ５３）。そして、広告識別部４０６が、ステップＳ５１で受信したテレビ放送信号から放送中のテレビ番組で放送されているコマーシャルを放送順に識別する（Ｓ５５）。そして、キーワード抽出部４０８が、ステップＳ５５で識別されたコマーシャルから、広告または広告提供企業を特定可能なキーワードを抽出する（Ｓ５７）。たとえば、シャンプーのコマーシャルであれば、商品名やメーカ企業名、あるいは、それらの識別コードをキーワードとして抽出する。
【００６０】
そして、ウェブ検索部４１０が、ステップＳ５７で抽出されたキーワードに基づいて、インターネット３にアクセスし、広告または広告提供企業に関連するウェブサイト５、またはウェブページを検索する（Ｓ５９）。そして、登録用アドレス取得部４１２が、ステップＳ５９で検索されたウェブサイト５またはウェブページのＵＲＬアドレスを取得する（Ｓ６１）。
【００６１】
そして、登録部４１４は、ステップＳ５３で抽出されたテレビ番組の番組識別情報ごとに、ステップＳ５５で識別された広告ごとに、順に、ステップＳ６１で取得されたウェブサイト５またはウェブページのＵＲＬアドレスを関連付けて対応テーブル記憶部２１０の対応テーブルに登録する（Ｓ６３）。
【００６２】
以上説明したように、本実施形態の広告情報提供システム１によれば、放送されたテレビ番組のコマーシャルなどの広告を特定し、自動的に関連する情報のウェブサイトのＵＲＬアドレスを取得して対応テーブルを自動的に作成することができる。すなわち、放送局や番組スポンサー企業、または広告会社などから情報提供を受けずに、テレビ番組の広告または広告提供企業に関連する情報をユーザに提供するシステムを構築することができる。
【００６３】
以上、図面を参照して本発明の実施形態について述べたが、これらは本発明の例示であり、上記以外の様々な構成を採用することもできる。
【００６４】
たとえば、図４（ｂ）に示すように、他の実施形態の広告情報提供システムによれば、受付部１１２が所定の広告識別パラメータ（たとえば、「ｘ」や「ｘ１」など）の入力を受け付けたとき、記憶装置（対応テーブル記憶部２１０）に記憶された対応テーブルを参照して、受付部１１２が受け付けた番組識別情報のテレビ番組の広告または広告提供企業の一覧を取得する一覧取得部（不図示）と、一覧取得部が取得した一覧をユーザ端末１００に提供する提供部（不図示）と、ユーザ端末１００において、一覧に提示された広告または広告提供企業の中から所望の広告または広告提供企業の選択を受け付ける選択受付部（不図示）と、を備え、ＵＲＬアドレス取得部２２２は、記憶装置（対応テーブル記憶部２１０）に記憶された対応テーブルを参照して、選択受付部が受け付けた所望の広告または広告提供企業に関連するウェブサイトのアドレスを取得し、提供部が、ＵＲＬアドレス取得部２２２が取得したアドレスに従って、インターネット３上のウェブサイトにアクセスし、ユーザ端末１００に該ウェブサイトを表示させて情報を提供する。
【００６５】
すなわち、ブラウザ画面３００において、入力欄３１２にＧコード３１６の後に続けて特定パラメータ３３０、ここでは、「ｘ」が入力されたとき、Ｇコードと特定パラメータｘを受付部１１２が受け付ける。なお、この場合、検索ボタン３１４は、確定ボタンの意味となる。このとき、図４（ｂ）に示すように、ブラウザ画面３００には、広告企業一覧３４０または広告一覧３５０の何れか一方、あるいは、広告企業一覧３４０および広告一覧３５０の両方が表示される。広告企業一覧３４０および広告一覧３５０は、一覧表示要求ボタンでもよく、図４（ｂ）において、広告企業一覧３４０または広告一覧３５０を操作することで、各一覧を提示させるようにしてもよい。
【００６６】
たとえば、広告一覧は、一覧取得部が、図３（ａ）の対応テーブル２１２を参照し、テレビ番組に対応する広告一覧を作成し、送信部２２４がインタフェース部２０２を介してユーザ端末１００に広告一覧を提供し、ユーザ端末１００において、受信部１１６が広告一覧を受信し、提示部１２０が広告一覧を表示部に表示させることができる。あるいは、広告提供企業一覧は、一覧取得部が、図３（ｂ）の対応テーブル２１４を参照し、テレビ番組に対応する広告提供企業一覧を作成してもよい。
【００６７】
なお、受付部１１２が、特定パラメータとして、たとえば、「ａｘ」を受け付けた場合、図３（ｃ）の対応テーブル２１６を参照し、パラメータ「ａ」で特定される広告提供企業の広告一覧を作成してもよい。
【００６８】
ユーザ７は、ユーザ端末１００のブラウザ画面３００において、広告企業一覧３４０または広告一覧３５０を操作することで、指定されたＧコードのテレビ番組のスポンサー企業の一覧または広告一覧を閲覧することができ、一覧の中から所望の企業ウェブサイトまたは広告を選択して、所望のウェブページをブラウザ画面３００の広告関連ウェブページ表示欄３２０に表示させることができる。
【００６９】
このように、特定パラメータを使用すれば、たとえば、テレビ番組で放送されたコマーシャルの放送順序が分からない場合であっても、一覧を参照できるので、一覧から所望の広告などを選択することができる。したがって、ユーザは簡単な操作で所望のウェブサイトをユーザ端末１００の表示部に表示させて、閲覧することができることとなる。
【００７０】
また、上記実施形態において、番組識別情報は、新聞や雑誌などから提供されるＧコードを用いる構成としたが、これに限定されるものではなく、たとえば、ユーザ端末１００の表示部にテレビ番組表を表示させ、番組表の中からユーザに番組を選択させることで、番組識別情報を受け付けることができる。
【００７１】
すなわち、ユーザ端末１００は、テレビ番組表をインターネット３を介して取得するテレビ番組表取得部と、取得したテレビ番組表を表示する表示部と、表示部に表示されたテレビ番組表の中からユーザが操作部を用いて選択した番組の番組識別情報を取得する番組識別情報取得部と、を含むことができる。
【００７２】
この構成によれば、Ｇコードを調べなくても、ユーザ端末１００に番組表を表示させて番組を特定することができるので、操作性がよい。
【００７３】
また、テレビ受像機内蔵のユーザ端末１００において、テレビ番組またはコマーシャルを視聴中に関連情報の取得要求の操作を受け付ける受付部と、取得要求を受け付けたとき、受像中のテレビ番組の番組識別情報または受像中のコマーシャルの広告識別情報を受信している放送信号から抽出する抽出部と、をさらに備えてもよい。この構成により、抽出された番組識別情報と、ユーザが入力したパラメータとの組み合わせ、または広告識別情報を管理装置２００に送信することで、関連する情報のウェブサイトのＵＲＬアドレスを取得し、所望のウェブサイトをユーザが閲覧することができる。
【００７４】
また、他の実施形態において、管理者が番組識別情報、広告識別情報およびキーワードを操作部（不図示）を用いて入力し、管理装置２００は、入力された番組識別情報、広告識別情報およびキーワードを受け付ける受付部を備えてもよい。そして、ウェブ検索部４１０は、受付部が受け付けたキーワードを使用してウェブサイトを検索してもよい。
【００７５】
また、上記実施形態において、図３に示すように対応テーブルは、テレビ番組の番組識別情報に、そのテレビ番組の広告または広告提供企業に関連する情報を含むウェブサイトのＵＲＬアドレスを対応付けて記憶する構成としたが、これに限定されない。すなわち、テレビ番組の番組識別情報に、そのテレビ番組の広告または広告提供企業に関連する情報を含むウェブサイトを特定可能な情報を対応付けて記憶すればよい。たとえば、広告または広告提供企業を特定可能なキーワードや商品やサービス識別情報や企業識別情報などとすることができる。
【図面の簡単な説明】
【００７６】
【図１】本発明の実施の形態に係る広告情報提供システムの構成を示すブロック図である。
【図２】図１の広告情報提供システムのユーザ端末および管理装置の構成を示す機能ブロック図である。
【図３】図２の管理装置の対応テーブルの例を示す図である。
【図４】図１の広告情報提供システムのユーザ端末の表示画面の例を示す図である。
【図５】図１の広告情報提供システムの動作の一例を示すフローチャートである。
【図６】本発明の実施の形態に係る広告情報提供システムの管理装置の要部構成を示す機能ブロック図である。
【図７】図６の管理装置の対応テーブル作成時の動作の一例を示すフローチャートである。
【符号の説明】
【００７７】
１  広告情報提供システム
３  インターネット
５  ウェブサイト
７  ユーザ
９  テレビ受像機
１００  ユーザ端末
１０２  インタフェース部
１１０  ウェブブラウザ
１１２  受付部
１１４  送信部
１１６  受信部
１１８  ウェブアクセス部
１２０  提示部
２００  管理装置
２０２  インタフェース部
２１０  対応テーブル記憶部
２１２  対応テーブル
２１４  対応テーブル
２１６  対応テーブル
２２０  受信部
２２２  ＵＲＬアドレス取得部
２２４  送信部
３００  ブラウザ画面
３１０  ツールバー
３１２  入力欄
３１４  検索ボタン
３１６  Ｇコード
３１８  パラメータ
３２０  広告関連ウェブページ表示欄
３３０  特定パラメータ
３４０  広告企業一覧
３５０  広告一覧
４０２  テレビ放送信号受信部
４０４  番組識別情報抽出部
４０６  広告識別部
４０８  キーワード抽出部
４１０  ウェブ検索部
４１２  登録用アドレス取得部
４１４  登録部
【図１】
0005098702.tif 000002
【図２】
0005098702.tif 000003
【図３】
0005098702.tif 000004
【図４】
0005098702.tif 000005
【図５】
0005098702.tif 000006
【図６】
0005098702.tif 000007
【図７】
0005098702.tif 000008